(57)【要約】【課題】より多くのＱｏＳ要求コネクション（Ｂｅｓｔ  Ｅｆｆｏｒｔでなく、スループット、許容遅延時間、許容パケット廃棄率等を要求するコネクション）を収容しつつ、ＱｏＳを満たすコネクション数を増加させることのできる通信装置およびコネクション選択方法を提供する【解決手段】サービスフローが要求するＱｏＳに応じてコネクションを確立してデータ通信を行う通信装置において、コネクションを識別するＣＩＤ毎のデータトラヒックの監視結果に基づいて送信スケジュール対象のコネクションの登録、削除登録を行うアクティブコネクション選択・監視部（１２、１３、１７）を備える。【選択図】図１
2007228377.tif 000002
【特許請求の範囲】
【請求項１】
サービスフローが要求するＱｏＳに応じてコネクションを確立してデータ通信を行う通信装置において、
コネクションを識別するコネクションＩＤ毎のデータトラヒックの監視結果に基づいて送信スケジュール対象のコネクション登録、削除登録を行うアクティブコネクション選択・監視部を備えたことを特徴とする通信装置。
【請求項２】
請求項１に記載の通信装置において、
前記アクティブコネクション選択・監視部は、
ダウンリンク処理時に、受信データに対して前記ＱｏＳに基づいたシェーピングレートによりシェーピングをかけ、コネクションを識別するためのコネクションＩＤ情報を付与したコネクションＩＤ付与データを生成するアクティブコネクション選択部と、
コネクションＩＤ毎にデータを蓄積するキューを有し、前記アクティブコネクション選択部で生成された前記コネクションＩＤ付与データを、前記コネクションＩＤ付与データに付与されたコネクションＩＤ情報に対応するキューに蓄積し、それぞれのキューに蓄積したコネクションＩＤ付与データの滞留量を監視し、所定上限値を超える滞留量となったキューがある場合には、当該キューについて送信スケジュール対象となるコネクションから外すとともに許容コネクション数を減らし、全てのキューのそれぞれの滞留量が第１の所定下限値以下、あるいは全てのキューの滞留量の合計が第２の所定下限値以下となった状態が一定時間継続した場合には、許容範囲内で前記許容コネクション数を増やすアクティブコネクション監視部と
を備えたことを特徴とする通信装置。
【請求項３】
請求項１に記載の通信装置において、
コネクションＩＤ情報を有するアップリンク時の受信データに対してＡＲＱ処理を施したＡＲＱブロックを生成するとともに、前記アクティブコネクション選択・監視部におけるアップリンク処理時の送信スケジュール対象のコネクション登録、削除登録と関連付けて、前記送信スケジュール対象に対応するＡＲＱフィードバックチャネルのコネクション登録、登録削除を行うＡＲＱ処理部をさらに備え、
前記アクティブコネクション選択・監視部は、コネクションＩＤ毎にデータを蓄積するキューを有し、アップリンク処理時の受信データに対してコネクションＩＤが割り当てられておらず、使用中のコネクション数が許容コネクション数に達していない場合には、当該受信データにコネクションＩＤを割り当てて送信スケジュール対象となるコネクションにアップリンクサービスフローに応じたコネクション登録を行い、前記ＡＲＱ処理部で生成された前記ＡＲＱブロックを前記コネクションＩＤ情報に対応するキューに蓄積し、それぞれのキューのデータトラヒック量を監視し、所定期間データ蓄積のないキューがある場合には、当該キューについて送信スケジュール対象となるコネクションから外してコネクション削除登録を行う
ことを特徴とする通信装置。
【請求項４】
請求項３に記載の通信装置において、
前記アクティブコネクション選択・監視部および前記ＡＲＱ処理部は、互いに同一のコネクションＩＤを割り当ててコネクション登録、コネクション削除登録を行うことを特徴とする通信装置。
【請求項５】
請求項１ないし４のいずれか１項に記載の通信装置において、
前記アクティブコネクション選択・監視部は、送信スケジュール対象となるコネクションの切り替え処理、または削除処理を行う前に、当該コネクションの送信スケジュール優先度を上げる優先度変更指示を出力してから一定時間経過した後に、ＡＲＱリセット処理を行い、前記ＡＲＱリセット処理の完了後に前記切り替え処理または前記削除処理を行うことを特徴とする通信装置。
【請求項６】
サービスフローが要求するＱｏＳに応じてコネクションを確立してデータ通信を行う通信装置のコネクション選択方法であって、
ダウンリンク処理時に、受信データに対して前記ＱｏＳに基づいたシェーピングレートによりシェーピングをかけ、コネクションを識別するためのコネクションＩＤ情報を付与したコネクションＩＤ付与データを生成する選択ステップと、
生成された前記コネクションＩＤ付与データを、前記コネクションＩＤ付与データに付与されたコネクションＩＤ情報に対応するキューに蓄積する蓄積ステップと、
それぞれのキューに蓄積したコネクションＩＤ付与データの滞留量を監視し、所定上限値を超える滞留量となったキューがある場合には、当該キューについて送信スケジュール対象となるコネクションから外すとともに許容コネクション数を減らし、全てのキューのそれぞれの滞留量が第１の所定下限値以下、あるいは全てのキューの滞留量の合計が第２の所定下限値以下となった状態が一定時間継続した場合には、許容範囲内で前記許容コネクション数を増やす監視ステップと
を備えたことを特徴とするコネクション選択方法。
【請求項７】
サービスフローが要求するＱｏＳに応じてコネクションを確立してデータ通信を行う通信装置のコネクション選択方法であって、
アップリンク処理時の受信データに対してコネクションＩＤが割り当てられておらず、使用中のコネクション数が許容コネクション数に達していない場合には、当該受信データにコネクションＩＤを割り当てて送信スケジュール対象となるコネクションにアップリンクサービスフローに応じたコネクション登録を行う登録ステップと、
コネクションＩＤ情報を有する受信データに対してＡＲＱ処理が施されたＡＲＱブロックを、コネクションＩＤ情報に対応するキューに蓄積し、それぞれのキューのデータトラヒック量を監視し、所定期間データ蓄積のないキューがある場合には、当該キューについて送信スケジュール対象となるコネクションから外してコネクション削除登録を行う削除登録ステップと、
前記登録ステップにおけるコネクション登録および前記削除登録ステップにおけるコネクション削除登録と関連付けて、送信スケジュール対象に対応するＡＲＱフィードバックチャネルのコネクション登録、登録削除を行うＡＲＱ処理ステップと
を備えたことを特徴とするコネクション選択方法。
【請求項８】
請求項６または７に記載のコネクション選択方法において、
送信スケジュール対象となるコネクションの切り替え処理、または削減処理を行う前に、当該コネクションの送信スケジュールの優先度を上げて送信処理を行う優先処理ステップと、
前記優先度を上げてから一定時間経過した後に、ＡＲＱリセット処理を行うリセット処理ステップと、
前記ＡＲＱリセット処理が完了した後に、コネクションの切り替え処理、またはコネクションの削除処理を行う切り替えステップと
を備えたことを特徴とするコネクション選択方法。
【発明の詳細な説明】
【技術分野】
【０００１】
本発明は、サービスフローが要求するＱｏＳに応じてコネクションを確立してデータ通信を行う通信装置、およびその通信装置で用いられるコネクション選択方法に関する。
【背景技術】
【０００２】
従来のセルラ通信システムにおいては、呼の受付制御（ＣＡＣ：Ｃａｌｌ  Ａｄｍｉｓｓｉｏｎ  Ｃｏｎｔｒｏｌ）により、ユーザが要求するＱｏＳ（Ｑｕａｌｉｔｙ  ｏｆ  Ｓｅｒｖｉｃｅ：通信の品質を制御するサービス）を完全に保証するコネクション確立を実施していた。
【０００３】
しかしながら、この方法では、コネクション確立前の一時点において、要求ＱｏＳを満たせるか否かの判定をしなくてはならない。そのために、無線伝送品質が最も悪い場合（変調方式・符号化率等から計算される１Ｈｚあたりのビットレートが最低の場合）を考慮して呼の受け付けを実施せざるを得ず、ＱｏＳ要求ユーザを十分に収容できないという問題があった。
【０００４】
一方、例えば、ＩＥＥＥ８０２.１６システムのように、常時接続（Ａｌｗａｙｓ  Ｏｎ）を基本とし、かつ多元接続可能なシステムにおいては、統計多重効果により、より多くのＱｏＳ要求ユーザを収容することが可能である。しかし、無線基地局においては、再送制御、スケジューリング制御を行うに当たって、コネクション毎のバッファ管理が必要であるため、接続コネクション数が増加する分、必要なメモリサイズが増加してしまうという問題がある。
【０００５】
ＩＥＥＥ８０２．１６−２００４仕様（ＩＥＥＥ  Ｓｔｄ  ８０２.１６−２００４、“Air Interface for Fixed Broadband Wireless Access Systems”2004.）においては、ＳＦＩＤ（Ｓｅｒｖｉｃｅ  Ｆｌｏｗ  ＩＤ）と呼ばれる３２ビットのサービスフロー識別情報に対して、ＣＩＤ（Ｃｏｎｎｅｃｔｉｏｎ  ＩＤ：以下の説明ではこのコネクションＩＤをＣＩＤと称す）と呼ばれる１６ビットの動的なアクティブコネクション識別情報を割り当てる処理を行う。
【０００６】
これは、受信側に送信する制御情報を削減するという効果があるだけでなく、上記の問題を回避するために、送信スケジュール対象となるコネクション数を絞ることが可能である。従って、無線基地局においては、装置内で許容可能なＣＩＤ数に絞って使用することで、コネクション毎に割り当て必要なメモリサイズを制限することができる。
【０００７】
アクティブコネクション選択においては、ＤＬ（Ｄｏｗｎ  Ｌｉｎｋ：基地局から端末への方向）サービスフロー、またはＵＬ（Ｕｐ  Ｌｉｎｋ：端末から基地局への方向）サービスフローのバースト監視を行う。バーストが発生した際に、アクティブコネクションへの登録処理を行い、キューに保留データがなくなった際に、アクティブコネクションからの登録削除処理を行う。
【０００８】
また、従来の通信装置として、パケットのキュー状態を監視し、監視結果に応じて応答信号の保留、圧縮を行うものもある（例えば、特許文献１参照）。
【０００９】
【特許文献１】特開２００４−１８７３０３号公報
【発明の開示】
【発明が解決しようとする課題】
【００１０】
しかしながら、従来技術には次のような課題がある。第１の課題として、常時接続を基本とするシステムのＤＬ処理において、ネットワーク側から過度なトラヒックが流入してきた際に、サービスフローが要求するＱｏＳが保証できなくなるという問題がある。
【００１１】
また、第２の課題として、ＡＲＱフィードバックチャネルは、ＡＲＱレイヤ以下でしか存在しないため、アクティブコネクション選択におけるバースト監視は、ＡＲＱレイヤ以下で行う必要が出てくるという問題がある。
【００１２】
さらに、第３の課題として、アクティブコネクション切り替え時に、前に送信を行っていたコネクションのデータが残留している場合があるが、これに対してバッファクリアを実施すると残留データを無駄にしてしまうという問題がある。
【００１３】
さらに、第４の課題として、引用文献１においては、パケットのキュー状態を監視して応答信号の保留、圧縮を行っているものの、コネクションの選択を切り替えることは行っておらず、より多くのＱｏＳ要求コネクションに対応できない点が問題となる。
【００１４】
本発明は上述のような課題を解決するためになされたもので、より多くのＱｏＳ要求コネクション（Ｂｅｓｔ  Ｅｆｆｏｒｔでなく、スループット、許容遅延時間、許容パケット廃棄率等を要求するコネクション）を収容しつつ、ＱｏＳを満たすコネクション数を増加させることのできる通信装置およびコネクション選択方法を提供することを目的とする。
【００１５】
さらに、本発明では、ＡＲＱレイヤ以上で一括してアクティブコネクション選択を行う通信装置およびコネクション選択方法と、残留データをできるだけ無駄にしない通信装置およびコネクション選択方法とを提供することを目的とする。
【課題を解決するための手段】
【００１６】
本発明に係る通信装置は、サービスフローが要求するＱｏＳに応じてコネクションを確立してデータ通信を行う通信装置において、コネクションを識別するコネクションＩＤ毎のデータトラヒックの監視結果に基づいて送信スケジュール対象のコネクション登録、削除登録を行うアクティブコネクション選択・監視部を備えたものである。
【００１７】
また、本発明に係るコネクション選択方法は、サービスフローが要求するＱｏＳに応じてコネクションを確立してデータ通信を行う通信装置のコネクション選択方法であって、ダウンリンク処理時に、受信データに対してＱｏＳに基づいたシェーピングレートによりシェーピングをかけ、コネクションを識別するためのコネクションＩＤ情報を付与したコネクションＩＤ付与データを生成する選択ステップと、生成されたコネクションＩＤ付与データを、コネクションＩＤ付与データに付与されたコネクションＩＤ情報に対応するキューに蓄積する蓄積ステップと、それぞれのキューに蓄積したコネクションＩＤ付与データの滞留量を監視し、所定上限値を超える滞留量となったキューがある場合には、当該キューについて送信スケジュール対象となるコネクションから外すとともに許容コネクション数を減らし、全てのキューのそれぞれの滞留量が第１の所定下限値以下、あるいは全てのキューの滞留量の合計が第２の所定下限値以下となった状態が一定時間継続した場合には、許容範囲内で許容コネクション数を増やす監視ステップとを備えたものである。
【００１８】
さらに、本発明に係るコネクション選択方法は、サービスフローが要求するＱｏＳに応じてコネクションを確立してデータ通信を行う通信装置のコネクション選択方法であって、アップリンク処理時の受信データに対してコネクションＩＤが割り当てられておらず、使用中のコネクション数が許容コネクション数に達していない場合には、当該受信データにコネクションＩＤを割り当てて送信スケジュール対象となるコネクションにアップリンクサービスフローに応じたコネクション登録を行う登録ステップと、コネクションＩＤ情報を有する受信データに対してＡＲＱ処理が施されたＡＲＱブロックを、コネクションＩＤ情報に対応するキューに蓄積し、それぞれのキューのデータトラヒック量を監視し、所定期間データ蓄積のないキューがある場合には、当該キューについて送信スケジュール対象となるコネクションから外してコネクション削除登録を行う削除登録ステップと、登録ステップにおけるコネクション登録および削除登録ステップにおけるコネクション削除登録と関連付けて、送信スケジュール対象に対応するＡＲＱフィードバックチャネルのコネクション登録・登録削除を行うＡＲＱ処理ステップとを備えたものである。
【発明の効果】
【００１９】
本発明によれば、ＣＩＤ毎のデータトラヒックの監視結果に基づいて輻輳が発生しているアクティブコネクションを積極的にデアクティブにすることにより、より多くのＱｏＳ要求コネクション（Ｂｅｓｔ  Ｅｆｆｏｒｔでなく、スループット、許容遅延時間、許容パケット廃棄率等を要求するコネクション）を収容しつつ、ＱｏＳを満たすコネクション数を増加させることのできる通信装置およびコネクション選択方法を得ることができる。
【発明を実施するための最良の形態】
【００２０】
以下、本発明の通信装置およびコネクション選択方法の好適な実施の形態につき図面を用いて説明する。
【００２１】
実施の形態１．
図１は、本発明の実施の形態１における通信装置およびアクティブコネクション選択方法を実現する無線基地局のダウンリンク処理の構成図である。図１において、無線基地局１０は、ＩＰ処理部１１、ＤＬアクティブコネクション選択部１２、ＤＬアクティブコネクション監視部１３、ＡＲＱ処理部１４、ＭＡＣ処理部１５、およびＰＨＹ処理部１６で構成される。ここで、ＤＬアクティブコネクション選択部１２およびＤＬアクティブコネクション監視部１３は、アクティブコネクション選択・監視部に相当する。そして、無線基地局１０は、ネットワーク２０からのデータトラヒックに対して一連のダウンリンク処理を施した後に、その宛先である無線通信端末３０へ送信する。
【００２２】
なお、ＡＲＱ処理部１４、ＭＡＣ処理部１５、およびＰＨＹ処理部１６の処理については、一例として、ＩＥＥＥ８０２.１６仕様に基づいて記述するが、これに限定する必要はない。場合によっては、ＡＲＱ処理部１４を省略することも可能である。さらには、ネットワーク２０側から受信するデータトラヒックは、ＩＰパケットであることを前提に記載するが、これに限定する必要はない。
【００２３】
以下においては、本実施の形態１の通信装置およびアクティブコネクション選択方法について、無線基地局のダウンリンク処理に焦点を絞り、その処理の流れを説明する。
【００２４】
無線基地局１０は、伝送路４０を介してネットワーク２０側からＩＰパケットを受信した際に、ＩＰ処理部１１にて、例えば、ＩＰアドレス、ポート番号等によってＳＦＩＤへの振り分けを行う。なお、ＩＰ処理部１１は、まだＳＦＩＤが割り当てられていないＩＰパケットを受信した場合には、ＳＦＩＤを新規に割り当てる。ＳＦＩＤの振り分けをしたＩＰ処理部１１は、ＳＦＩＤ情報を付与したＩＰパケット１０１をＤＬアクティブコネクション選択部１２へ送信する。
【００２５】
ＤＬアクティブコネクション選択部１２は、ＳＦＩＤ毎のキュー１１１を持ち、ＩＰパケットを受信した際に、通知されたＳＦＩＤに対応するキュー１１１にＩＰパケットをキューイングする。そして、通知されたＳＦＩＤにＣＩＤがすでに割り当てられている場合には、ＤＬアクティブコネクション選択部１２は、サービスフローが要求するＱｏＳに基づいたシェーピングレートによりシェーピングをかけた上で、ＣＩＤ情報を付与したＩＰパケット（ＣＩＤ付与データに相当）１０２をＤＬアクティブコネクション監視部１３に送信する。
【００２６】
また、ＣＩＤが割り当てられておらず、かつ、使用しているアクティブコネクション数が上限に達していない場合には、ＤＬアクティブコネクション選択部１２は、ＣＩＤを割り当て（アクティブコネクション登録）、シェーピングをかけた上で、ＩＰパケットをＣＩＤ情報とともにＤＬアクティブコネクション監視部１３に送信する。
【００２７】
さらに、ＣＩＤが割り当てられておらず、かつ、使用しているアクティブコネクション数が上限に達している場合には、ＤＬアクティブコネクション選択部１２は、受信ＩＰパケットをキュー１１１にキューイングするか、または廃棄する。
【００２８】
そして、例えば、キューの滞留パケット数が所定の閾値以上になった場合、または、ＩＰパケットの廃棄数が所定の閾値以上となった場合に、ＤＬアクティブコネクション選択部１２は、アクティブコネクションの切り替え（既存のアクティブコネクションの登録削除と、別のサービスフローに対するアクティブコネクションの登録）を実施して、シェーピングをかけた上で、ＩＰパケットをＣＩＤ情報とともにＤＬアクティブコネクション監視部１３に送信する。
【００２９】
なお、切り替えを実施するアクティブコネクションは、以下のレイヤのバッファクリアを実施する（ＡＲＱレイヤについては、リセット指示を行う）。
【００３０】
次に、ＤＬアクティブコネクション監視部１３は、ＣＩＤ毎のキュー１１２を有しており、ＣＩＤ情報が付加されたＩＰパケットを受信した際に、通知されたＣＩＤに対応するキュー１１２にＩＰパケットをキューイングする。図２は、本発明の実施の形態１におけるキュー１１２によるＩＰパケットの蓄積状態の説明図である。
【００３１】
この図２は、アクティブコネクション数が４本の場合の４つのキュー１１２ａ〜１１２ｄに対して、ＩＰパケット１３１が蓄積されている様子を例示している。ここで、蓄積しているＩＰパケット数、またはＩＰパケットサイズの合計がある所定の閾値（所定上限値に相当）１２１以上となったキュー（図２では、キュー１１２ａに相当）については、アクティブコネクションから外し（アクティブコネクション登録削除）、許容するアクティブコネクション数の上限値（許容コネクション数に相当）をデクリメントする。
【００３２】
なお、アクティブコネクションから外す際には、ＤＬアクティブコネクション監視部１３は、対応するキュー１１２（図２では、１１２ａに相当）のバッファクリアを実施するとともに、ＡＲＱ処理部１４へのリセット指示、ＡＲＱ処理部１４経由でのＭＡＣ処理部１５へのバッファクリア指示を行う。
【００３３】
そして、全てのキュー（１１２ａ〜１１２ｄ）が一定時間継続して、ある閾値１２２以下となったときには、ＤＬアクティブコネクション監視部１３は、輻輳状態が解消されたと判断し、システムが許容する上限を限度に、アクティブコネクション数をインクリメントした上で、アクティブコネクションの追加を許可する。なお、閾値１２２については、それぞれのキューに対して一律の閾値（第１の所定下限値に相当）を設ける、あるいは、全キューのＩＰパケット合計数、またはＩＰパケットサイズ合計値に対して閾値（第２の所定下限値に相当）を設ける方法でもよい。
【００３４】
ＤＬアクティブコネクション監視部１３でキューイングされたＩＰパケットは、ＡＲＱ処理部１４の要求に従って、ＡＲＱブロックに分割された上でＡＲＱ送信テーブルに登録される。そして、ＡＲＱ処理部１４は、ＡＲＱ処理を実施した上で、ＭＡＣ処理部１５のキュー１１３にキューイングする。
【００３５】
ＭＡＣ処理部１５は、キュー１１３に蓄積されたＡＲＱブロックに対して、必要に応じてコンカテネート、またはフラグメントを実施した上でＭＡＣ  ＰＤＵ１０４を生成し、送信スケジュール情報にあわせてＰＨＹ処理部１６にＭＡＣ  ＰＤＵ１０４を送信する。そして、ＭＡＣ処理部１５から送信要求を受けたＰＨＹ処理部１６は、ＭＡＣ  ＰＤＵ１０４のディジタル変調処理を行い、伝送路５０を介して無線通信端末３０に送信する。
【００３６】
以上のように、実施の形態１によれば、ＣＩＤ毎のキュー監視による輻輳状態検出、輻輳状態解除検出により、輻輳が発生しているアクティブコネクションを積極的にデアクティブにすることができる。これにより、スループット、許容遅延量等の保証（ＱｏＳ）を要求するユーザが増えてきた場合にも、無線通信容量を無駄なく使用しながら、アクティブコネクションに残っている各コネクションについては、要求ＱｏＳが大きく損なわれるような状態を回避することができる。
【００３７】
実施の形態２．
図３は、本発明の実施の形態２における通信装置およびアクティブコネクション選択方法を実現する無線基地局のアップリンク処理の構成図である。なお、本実施の形態２のアクティブコネクション選択方法を実現する無線基地局のダウンリンク処理の構成は、実施の形態１と同様、またはＤＬアクティブコネクション監視部１３を除いた構成とする。
【００３８】
図３において、無線基地局１０は、ＩＰ処理部１１、ＵＬアクティブコネクション選択・監視部１７、ＡＲＱ処理部１４、ＭＡＣ処理部１５、およびＰＨＹ処理部１６で構成される。そして、無線基地局１０は、無線通信端末３０からのデータトラヒックに対して一連のアップリンク処理を施した後に、ネットワーク２０側へ送信する。
【００３９】
なお、ＡＲＱ処理部１４、ＭＡＣ処理部１５、およびＰＨＹ処理部１６の処理については、実施の形態１と同様に、一例として、ＩＥＥＥ８０２.１６仕様に基づいて記述するが、これに限定する必要はない。
【００４０】
以下においては、本実施の形態２の通信装置およびアクティブコネクション選択方法について、無線基地局のアップリンク処理に焦点を絞り、その処理の流れを説明する。
【００４１】
無線基地局１０のＵＬアクティブコネクション選択・監視部１７は、無線通信端末３０の要求に対して、通知されたＳＦＩＤにＣＩＤが割り当てられておらず、かつ、使用しているアクティブコネクション数が上限に達していない場合には、ＣＩＤを割り当てる。
【００４２】
一方、ＣＩＤが割り当てられておらず、かつ、使用しているアクティブコネクション数が上限に達している場合には、ＵＬアクティブコネクション選択・監視部１７は、アクティブコネクションに空きが出るまで無線通信端末３０の要求を保留、または破棄する。
【００４３】
ＣＩＤを割り当てられた無線通信端末３０は、無線基地局１０により決定される送信スケジュールに従って、伝送路５０を介してデータトラヒックを送信する。そして、この送信されたデータトラヒックを受信した無線基地局１０内のＰＨＹ処理部１６は、ディジタル復調処理を実施した上で、ＭＡＣ処理部１５にＭＡＣ  ＰＤＵ１０５を通知する。
【００４４】
そして、ＭＡＣ処理部１５は、ＣＩＤ情報とともにＡＲＱブロック１０６をＡＲＱ処理部１４に通知する。これに対して、ＡＲＱ処理部１４は、ＡＲＱ処理を実施した上で、ＵＬアクティブコネクション選択・監視部１７のキュー１１４にＣＩＤ毎にキューイングする。
【００４５】
さらに、ＵＬアクティブコネクション選択・監視部１７は、キューイングされたＡＲＱブロック１０６がＩＰパケットに組み上がった際に、ＩＰ処理部１１にＩＰパケット１０９を通知する。そして、ＩＰ処理部１１は、ネットワーク２０側に伝送路４０を介してＩＰパケットを送信する。
【００４６】
なお、ＵＬアクティブコネクション選択・監視部１７においてアクティブコネクションの空きを判定する方法として、ＵＬアクティブコネクション選択・監視部１７のキュー１１４に入力されるＡＲＱブロック１０６のデータトラヒック量を監視し、例えば、一定期間入力がない場合に当該コネクションをアクティブコネクションから外し、バッファをクリアするとともに、ＡＲＱ処理部１４へのリセット指示を行う。
【００４７】
ここで、上記の方法だけでは、ＡＲＱのフィードバックチャネル１０７のアクティブコネクション登録ができない。従って、ＵＬサービスフローに対するＡＲＱフィードバックチャネル１０７については、ＵＬサービスフローがアクティブコネクションに登録された際に、ＡＲＱ処理部１４によって、同時にＡＲＱフィードバックチャネル１０７もＤＬ方向のアクティブコネクションに登録される。
【００４８】
この時、ＡＲＱフィードバックチャネル１０７がＤＬ方向のアクティブコネクションに登録できなかった場合には、ＡＲＱ処理部１４は、ＵＬサービスフローのアクティブコネクション登録もキャンセルする。さらに、ＵＬサービスフローのアクティブコネクション登録が削除された際には、ＡＲＱ処理部１４は、ＡＲＱフィードバックチャネル１０７のアクティブコネクション登録も削除する。
【００４９】
ＤＬサービスフローに対するＡＲＱフィードバックチャネル１０８についても同様であり、ＤＬサービスフローが、実施の形態１に記載のＤＬアクティブコネクション選択部１２においてアクティブコネクションに登録された際に、ＡＲＱ処理部１４は、同時にＡＲＱフィードバックチャネル１０８もＵＬ方向のアクティブコネクションに登録する。
【００５０】
なお、サービスフローとＡＲＱフィードバックチャネルは、ＣＩＤを同一とすることで、簡易に括り付けを行うことができる。
【００５１】
以上のように、実施の形態２によれば、サービスフローとＡＲＱフィードバックチャネルを括り付けてアクティブコネクション登録、登録削除を行うことで、下位レイヤでのトラヒック監視、および通知の機能を必要とせずに、ＡＲＱレイヤより上のレイヤとして閉じた状態で、アクティブコネクションの選択が可能となる。
【００５２】
実施の形態３．
本実施の形態３では、アクティブコネクションを切り替える際、または、アクティブコネクションの削減を行う際のＡＲＱリセット処理に関して説明する。なお、本実施の形態３の通信装置およびアクティブコネクション選択方法を実現する無線基地局１０の構成は、実施の形態２と同様である。
【００５３】
図４は、本発明の実施の形態３のコネクション選択方法におけるＡＲＱリセット処理の流れを示す図である。図４を用いた以下の説明においては、図１におけるＤＬアクティブコネクション選択部１２、ＤＬアクティブコネクション監視部１３、または、図３におけるＵＬアクティブコネクション選択・監視部１７のことを総称して、アクティブコネクション選択・監視部と呼ぶこととする。
【００５４】
まず始めに、アクティブコネクション選択・監視部は、ＡＲＱリセットの実施を決定した場合（ステップＳ４０１）、送信スケジューリング処理を行うＭＡＣ処理部１５に対して、優先度変更指示を通知する（ステップＳ４０２）。
【００５５】
次に、優先度変更指示を受けたＭＡＣ処理部１５は、指定コネクションの優先度を変更し（ステップＳ４０３）、アクティブコネクション選択・監視部に優先度変更完了を通知する（ステップＳ４０４）。そして、ＭＡＣ処理部１５は、ＡＲＱ処理部１４の送信指示に従い、当該コネクションのスケジューリング優先度を上げた状態で、無線通信端末３０との通信を行う（Ｓ４０５）。
【００５６】
一方、アクティブコネクション選択・監視部は、優先度変更完了を受信してから一定時間待った後に（ステップＳ４０６）、ＡＲＱリセット要求をＡＲＱ処理部１４に通知する（ステップＳ４０７）。ＡＲＱリセット要求を受け取ったＡＲＱ処理部１４は、対応する無線通信端末３０に対して、ＡＲＱコネクションのリセット要求信号を送出する（ステップＳ４０８）。
【００５７】
ＡＲＱコネクションのリセット要求信号を受け取った無線通信端末３０のＡＲＱ処理部３１は、当該コネクションに対するＡＲＱ状態を初期化（バッファクリアを含む）する（ステップＳ４０９）。さらに、無線通信端末３０のＡＲＱ処理部３１は、無線基地局１０のＡＲＱ処理部１４にＡＲＱリセット応答信号を返送する（ステップＳ４１０）。
【００５８】
ＡＲＱリセット応答信号を受け取ったＡＲＱ処理部１４は、当該コネクションに対するＡＲＱ状態を初期化する（ステップＳ４１１）とともに、アクティブコネクション選択・監視部にＡＲＱリセットが完了したことを報告する（ステップＳ４１２）。そして、最後に、アクティブコネクション選択・監視部は、以上の処理が完了した上で、アクティブコネクションの切り替えを実施する（ステップＳ４１３）。
【００５９】
以上のように、実施の形態３によれば、アクティブコネクション切り替え時、またはアクティブコネクション削減時におけるＡＲＱリセット処理を行う際に、ＭＡＣ処理部での当該コネクションの優先度を上げて一定時間の間、優先処理を行うことができる。これにより、できるだけ滞留データが残っていない状態とした後にＡＲＱリセット処理を行うことができ、ＡＲＱリセットに対するデータ廃棄量を削減することが可能となる。
【図面の簡単な説明】
【００６０】
【図１】本発明の実施の形態１における通信装置およびアクティブコネクション選択方法を実現する無線基地局のダウンリンク処理の構成図である。
【図２】本発明の実施の形態１におけるキューによるＩＰパケットの蓄積状態の説明図である。
【図３】本発明の実施の形態２における通信装置およびアクティブコネクション選択方法を実現する無線基地局のアップリンク処理の構成図である。
【図４】本発明の実施の形態３のコネクション選択方法におけるＡＲＱリセット処理の流れを示す図である。
【符号の説明】
【００６１】
１０  無線基地局、１１  ＩＰ処理部、１２  ＤＬアクティブコネクション選択部、１３  ＤＬアクティブコネクション監視部、１４  ＡＲＱ処理部、１５  ＭＡＣ処理部、１６  ＰＨＹ処理部、１７  ＵＬアクティブコネクション選択・監視部、２０  ネットワーク、３０  無線通信端末、３１  ＡＲＱ処理部、４０  伝送路、５０  伝送路。
【図１】
2007228377.tif 000003
【図２】
2007228377.tif 000004
【図３】
2007228377.tif 000005
【図４】
2007228377.tif 000006